(57)【要約】【課題】  簡単な構造で、手差し給紙用トレイを所定の給紙姿勢に保持でき、しかも、その手差し給紙用トレイの姿勢を格納姿勢と給紙姿勢とに亘って簡便に切り換えることができるようにする。【解決手段】  自動給紙用トレイ２を、自動給紙可能な自動給紙位置と用紙を補給可能な用紙補給位置とに亘ってスライド移動自在に、装置本体Ａに支持するとともに、手差し給紙用トレイ１を横軸芯Ｘ周りで揺動自在に支持して、装置本体の横方向に傾けて手差し給紙可能な給紙姿勢と、装置本体側に格納する格納姿勢とに姿勢切換自在に設けてある画像形成装置であって、手差し給紙用トレイを装置本体に横軸芯周りで揺動自在に支持するとともに、給紙姿勢に切り換えた手差し給紙用トレイの下面側を載置支持可能な支持部１７を自動給紙用トレイに設けてある。【選択図】        図２
2007099398.tif 000002
【特許請求の範囲】
【請求項１】
自動給紙用トレイを、自動給紙可能な自動給紙位置と用紙を補給可能な用紙補給位置とに亘ってスライド移動自在に、装置本体に支持するとともに、
手差し給紙用トレイを横軸芯周りで揺動自在に支持して、装置本体の横方向に傾けて手差し給紙可能な給紙姿勢と、装置本体側に格納する格納姿勢とに姿勢切換自在に設けてある画像形成装置であって、
前記手差し給紙用トレイを前記装置本体に横軸芯周りで揺動自在に支持するとともに、
前記給紙姿勢に切り換えた手差し給紙用トレイの下面側を載置支持可能な支持部を前記自動給紙用トレイに設けてある画像形成装置。
【発明の詳細な説明】
【技術分野】
【０００１】
本発明は、自動給紙用トレイを、自動給紙可能な自動給紙位置と用紙を補給可能な用紙補給位置とに亘ってスライド移動自在に、装置本体に支持するとともに、手差し給紙用トレイを横軸芯周りで揺動自在に支持して、装置本体の横方向に傾けて手差し給紙可能な給紙姿勢と、装置本体側に格納する格納姿勢とに姿勢切換自在に設けてある画像形成装置に関する。
【背景技術】
【０００２】
上記画像形成装置では、従来、手差し給紙用トレイを所定の給紙姿勢に保持できるように、手差し給紙用トレイの揺動端側を装置本体側に支持してあるアームに係止して、給紙姿勢における手差し給紙用トレイの装置本体に対する揺動範囲を規制できるように構成するとともに、そのアームに係止してある手差し給紙用トレイの姿勢を格納姿勢と給紙姿勢とに亘って簡便に切り換えることができるように、アームを装置本体に上下揺動自在に支持するとともに、そのアームにアーム長手方向に沿う長孔を形成し、その長孔に沿って相対揺動自在に手差し給紙用トレイを係止してある（例えば、特許文献１参照）。
【０００３】
【特許文献１】特開平４−４９１４９号公報
【発明の開示】
【発明が解決しようとする課題】
【０００４】
従来の画像形成装置は、手差し給紙用トレイを所定の給紙姿勢に保持できるようにしながら、その手差し給紙用トレイの姿勢を格納姿勢と給紙姿勢とに亘って簡便に切り換えることができるように設けるにあたって、手差し給紙用トレイを係止するアームを設ける必要があるとともに、そのアームを設けたことに起因して、手差し給紙用トレイとアームとの係止構造も複雑化する欠点がある。
本発明は上記実情に鑑みてなされたものであって、簡単な構造で、手差し給紙用トレイを所定の給紙姿勢に保持でき、しかも、その手差し給紙用トレイの姿勢を格納姿勢と給紙姿勢とに亘って簡便に切り換えることができるようにすることを目的とする。
【課題を解決するための手段】
【０００５】
本発明の第１特徴構成は、自動給紙用トレイを、自動給紙可能な自動給紙位置と用紙を補給可能な用紙補給位置とに亘ってスライド移動自在に、装置本体に支持するとともに、手差し給紙用トレイを横軸芯周りで揺動自在に支持して、装置本体の横方向に傾けて手差し給紙可能な給紙姿勢と、装置本体側に格納する格納姿勢とに姿勢切換自在に設けてある画像形成装置であって、前記手差し給紙用トレイを前記装置本体に横軸芯周りで揺動自在に支持するとともに、前記給紙姿勢に切り換えた手差し給紙用トレイの下面側を載置支持可能な支持部を前記自動給紙用トレイに設けてある点にある。
【０００６】
〔作用及び効果〕
手差し給紙用トレイを装置本体に横軸芯周りで揺動自在に支持するとともに、給紙姿勢に切り換えた手差し給紙用トレイの下面側を載置支持可能な支持部を設けてあるので、従来のように手差し給紙用トレイを係止するアームを装置本体側に特に設けることなく、給紙姿勢における手差し給紙用トレイの装置本体に対する揺動範囲を、手差し給紙用トレイの下面側を載置支持する支持部で規制することができる。
従って、簡単な構造で、手差し給紙用トレイを所定の給紙姿勢に保持でき、しかも、その手差し給紙用トレイの姿勢を格納姿勢と給紙姿勢とに亘って簡便に切り換えることができる。
その上、給紙姿勢に切り換えた手差し給紙用トレイの下面側を載置支持可能な支持部を自動給紙用トレイに設けてあるので、装置本体の構造を特に変更することなく、自動給紙用トレイの構造を変更するだけで、給紙姿勢に切り換えた手差し給紙用トレイの下面側を載置支持することができる。
【発明を実施するための最良の形態】
【０００７】
以下に本発明の実施の形態を図面に基づいて説明する。
図１〜図３は、プリンターやコピー機，ファックスなどの電子写真装置（図外）を備えた本発明による画像形成装置を示し、手差し給紙用トレイ１と自動給紙用トレイ２とを上下に隣り合うように装置本体Ａに備え、手差し給紙用トレイ１の用紙を電子写真装置に給紙する手差し給紙用給紙装置３を装置本体Ａに固定してある。
【０００８】
前記自動給紙用トレイ２は、装置本体Ａ側に押し込んで自動給紙可能な自動給紙位置と、装置本体Ａの横側方に引き出して用紙を補給可能な用紙補給位置とに亘って略水平方向にスライド移動自在に、装置本体Ａに支持してあり、その前面パネル部材４をトレイ本体５の左右両側に突出させて、自動給紙位置に移動させた状態で、前面パネル部材４の突出部分６が装置本体Ａに対向するように設けてある。
【０００９】
前記手差し給紙用トレイ１は、図３に示すように、用紙幅合わせカーソル７を左右両側に設けてある内側トレイ８と、延長トレイ９を出退操作自在に設けてある外装カバー１０とを備え、内側トレイ８に設けてあるボス１１を手差し給紙用給紙装置３に横軸芯Ｘ周りで揺動自在に支持してある。
【００１０】
そして、外装カバー１０の内側に固定してある左右一対のガイド板１２の各々に二つのガイド用長孔１３，１４を形成するとともに、内側トレイ８の左右横側部の各々に固定してある二個の係合ピン１５，１６を各ガイド用長孔１３，１４に各別に係合させて、外装カバー１０を手動操作で揺動させることにより、内側トレイ８と外装カバー１０とを、図２に示すように、自動給紙用トレイ２の上側で装置本体Ａの横側方に突出するように横方向に傾けて手差し給紙可能な給紙姿勢と、図１に示すように、装置本体Ａ側に格納する格納姿勢とに一体に姿勢切換自在に設けてある。
【００１１】
前記自動給紙用トレイ２に、その自動給紙用トレイ２を自動給紙位置に移動させてある状態で、給紙姿勢に切り換えた手差し給紙用トレイ１の下面側を載置支持可能な支持部１７を設けてある。
【００１２】
前記支持部１７は、自動給紙用トレイ２における前面パネル部材４の左右突出部分６に、給紙姿勢に切り換えた手差し給紙用トレイ１における外装カバー１０の下向き面に面接触する傾斜面１８を備えた突起部材を、前面パネル部材４の上端面よりも上方に突出するように設けて構成してある。
【００１３】
〔その他の実施形態〕
本発明による画像形成装置は、上記実施形態において、支持部を構成している突起部材１７を、自動給紙用トレイ２を自動給紙位置に移動させるに伴って、給紙姿勢の手差し給紙用トレイ１の下面側を載置支持可能な位置に突出し、自動給紙用トレイ２を用紙補給位置に移動させるに伴って、前面パネル部材４の上端面近く、又は、その上端面よりも下側に引退するように設けてあっても良い。
【図面の簡単な説明】
【００１４】
【図１】画像形成装置の要部側面図
【図２】画像形成装置の要部側面図
【図３】画像形成装置の要部斜視図
【符号の説明】
【００１５】
１  手差し給紙用トレイ
２  自動給紙用トレイ
１７  支持部
Ａ  装置本体
Ｘ  横軸芯
【図１】
2007099398.tif 000003
【図２】
2007099398.tif 000004
【図３】
2007099398.tif 000005